【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
医療流体送達システムであって、
注入デバイスと、
第１の流体源と、
患者に挿入され、および流体的に相互接続されるように動作可能な流体出口ポートと、
真空源と
を備え、該注入デバイスは、選択的に該第１の流体源に流体的に相互接続可能であり、該注入デバイスは、選択的に該真空源に流体的に相互接続可能であり、該注入デバイスは、該流体出口ポートに流体的に相互接続される、システム。
【請求項２】
医療流体送達システムであって、
注入デバイスと、
第１の流体源と、
真空源と、
該注入デバイス、該第１の流体源、および該真空源の各々と流体的に相互接続され、および患者と流体的に相互接続可能である管類セットと、
流体装填動作のために該第１の流体源を該注入デバイスに流体的に相互接続する前に、該管類セットを介して該真空源と該注入デバイスとを流体的に相互接続し、該真空源を操作するように構成される制御論理と
を備える、システム。
【請求項３】
第１の弁をさらに備え、
該第１の弁の第１のポートは、前記注入デバイスの第１のシリンジに流体的に相互接続され、
該第１の弁の第２のポートは、前記真空源に流体的に相互接続され、
該第１の弁の第３のポートは、前記流体源に流体的に相互接続され、
該第１の弁の第１の位置において、該第１の弁の該第１のポートは、該第１の弁の該第２のポートに流体的に相互接続され、該第１の弁の該第３のポートは、該第１の弁の該第１のポートおよび該第１の弁の該第２のポートから流体的に隔離され、
該第１の弁の第２の位置において、該第１の弁の該第１のポートは、該第１の弁の該第３のポートに流体的に相互接続され、該第１の弁の該第２のポートは、該第１の弁の該第１のポートおよび該第１の弁の該第３のポートから流体的に隔離される、請求項１および２のうちのいずれか一項に記載のシステム。
【請求項４】
前記第１の弁の第３の位置において、該第１の弁の前記第１、第２、および第３のポートの各々は、該第１の弁の該第１、第２、および第３のポートの他の全てのポートから流体的に隔離される、請求項３に記載のシステム。
【請求項５】
第２の弁をさらに備え、
該第２の弁の第１のポートは、前記注入デバイスの第２のシリンジに流体的に相互接続され、
該第２の弁の第２のポートは、前記真空源に流体的に相互接続され、
該第２の弁の第３のポートは、第２の流体源に流体的に相互接続され、
該第２の弁の第１の位置において、該第２の弁の該第１のポートは、該第２の弁の該第２のポートに流体的に相互接続され、該第２の弁の該第３のポートは、該第２の弁の該第１のポートおよび該第２の弁の該第２のポートから流体的に隔離され、
該第２の弁の第２の位置において、該第２の弁の該第１のポートは、該第２の弁の該第３のポートに流体的に相互接続され、該第２の弁の該第２のポートは、該第２の弁の該第１のポートおよび該第２の弁の該第３のポートから流体的に隔離される、請求項３および４のうちのいずれか一項に記載のシステム。
【請求項６】
前記第２の弁の第３の位置において、該第２の弁の前記第１、第２、および第３のポートの各々は、該第２の弁の該第１、第２、および第３の他の全てのポートから流体的に隔離される、請求項５に記載のシステム。
【請求項７】
前記第２の流体源は、自身の中に生理食塩水を有する、請求項５および６のうちのいずれか一項に記載のシステム。
【請求項８】
前記第１の流体源と前記第１の弁との間の流体経路に沿った第１の場所に配置されるセンサをさらに備え、該センサは、該第１の場所における流体の不在および該第１の場所における流体の存在のうちの少なくとも１つを検出するように動作可能である、請求項３〜７のうちのいずれか一項に記載のシステム。
【請求項９】
制御論理をさらに備え、該制御論理は、
前記第１の流体源を前記第１のシリンジから隔離する一方で、前記真空源を該第１のシリンジに流体的に相互接続するように、前記第１の弁を作動することと、
該流体的に相互接続された第１のシリンジに真空を印加するように、該真空源を起動することと、
該真空源を起動した後に、該真空源を該第１のシリンジから隔離する一方で、該第１の流体源を該第１のシリンジに流体的に相互接続するように、該第１の弁を作動することと、
流体を、該第１の流体源から該第１のシリンジまで、前記流体出口ポートを経て患者の血管系に送達するように、医療流体送達プロトコルを実行することであって、該流体は、該患者の流体と混合する、ことと
を行うように構成される、請求項３〜８のうちのいずれか一項に記載のシステム。
【請求項１０】
制御論理をさらに備え、該制御論理は、
前記真空源を前記第１のシリンジに流体的に相互接続するように、前記第１の弁を作動することと、
該流体的に相互接続された第１のシリンジに真空を印加するように、該真空源を起動することと、
該真空源を起動した後に、該真空源を該第１のシリンジから隔離する一方で、前記第１の流体源を該第１のシリンジに流体的に相互接続するように、該第１の弁を作動することと、
該第１の流体源を該第１のシリンジに流体的に相互接続した後に、該第１の流体源から第１の容量の流体を該第１のシリンジに装填するように、前記注入デバイスのモータを駆動することと、
前記流体出口ポートを経て該第１の容量を注入するように、該注入デバイスの該モータを駆動することと、
該第１の容量を注入した後に、該第１の流体源から第２の容量の流体を該第１のシリンジに装填するように、該注入デバイスの該モータを駆動することと、
該流体出口ポートを経て該第２の容量を注入するように、該注入デバイスの該モータを駆動することと
を行うように構成される、請求項３〜８のうちのいずれか一項に記載のシステム。
【請求項１１】
前記注入デバイスに流体的に相互接続される管類セットと、
該管類セットから前記流体源を隔離する一方で、該管類セットを前記真空源に流体的に相互接続するように動作可能な弁類と、
該管類セットから該真空源を隔離する一方で、該管類セットを前記第１の流体源に流体的に相互接続するように動作可能な弁類と
をさらに備える、請求項１に記載のシステム。
【請求項１２】
カニューレをさらに備え、前記流体出口ポートは、該カニューレの開放端である、請求項１〜１１のいずれか一項に記載のシステム。
【請求項１３】
前記カニューレは、前記患者の血管系内へ挿入されるように動作可能である、請求項１２に記載のシステム。
【請求項１４】
前記注入デバイスに流体的に相互接続される管類セットと、
該注入デバイスと前記流体出口ポートとの間で該管類セットに沿って配置される第１の一方向弁であって、該第１の一方向弁は、該注入デバイスから該流体出口ポートへの流体流動を可能にするように配置され、該第１の一方向弁は、該流体出口ポートから該注入デバイスへの流体流動を阻止するように配置される、第１の一方向弁と
をさらに備える、請求項１〜１３のうちのいずれか一項に記載のシステム。
【請求項１５】
前記第１の流体源は、自身の中に造影剤を有する、請求項１〜１４のうちのいずれか一項に記載のシステム。
【請求項１６】
医療流体送達システムのための操作方法であって、
ａ）真空源を管類セットおよび注入デバイスのシリンジに流体的に相互接続することであって、該管類セットは、該シリンジに流体的に相互接続される、ことと、
ｂ）ステップａの後に、該真空源を使用して、該管類セットおよびシリンジから空気を抜き出すことと、
ｃ）ステップｂの後に、該管類セットおよび該シリンジから該真空源を隔離することと、
ｄ）ステップｃの後に、第１の流体源を該管類セットおよび該シリンジに流体的に相互接続することと、
ｅ）ステップｄの後に、該第１の流体源から流体を該シリンジに装填することと
を含む、方法。
【請求項１７】
前記空気を抜き出すことの間、前記第１の流体源は、前記真空源から流体的に隔離される、請求項１６に記載の方法。
【請求項１８】
ステップｃは、弁を作動させることを含む、請求項１６〜１７のうちのいずれか一項に記載の方法。
【請求項１９】
ｆ）前記第１の流体源から第１の流体源界面を経て流体を装填するように、前記注入デバイスのプランジャを後退させることであって、該後退させることの間、該注入デバイスおよび該流体源は、前記管類セットによって流体的に相互接続される、ことと、
ｇ）ステップｆの間、該管類セット内の第１の点において流体の欠如を自動的に検出することであって、該第１の点は、該注入デバイスと該第１の流体源との間にある、ことと、
ｈ）ステップｇに応答して、ステップｆの実施を中止することと、
ｉ）ステップｈの後に、流体を該管類セットから該第１の流体源界面まで移転させるように、該プランジャを前進させることと、
ｊ）ステップｈの後に、該第１の流体源を交換用の第１の流体源と交換することと
をさらに含む、請求項１６〜１８のうちのいずれか一項に記載の方法。
【請求項２０】
ステップｊは、ステップｉの前に実施される、請求項１９に記載の方法。
【請求項２１】
前記第１の流体源は、自身の中に造影剤を有する、請求項１６〜２０のうちのいずれか一項に記載の方法。
【手続補正２】
【補正対象書類名】明細書
【補正対象項目名】００３６
【補正方法】変更
【補正の内容】
【００３６】
任意の多投与注入システムまたは注入は、任意の数のバルク流体容器を含む／利用してもよい。そのような多投与注入システムまたは注入は、バルク容器から複数の患者へ流体を送達するために使用されてもよい。バルク容器は、任意の適切な種類の流体を含有してもよい。バルク容器は各々、固有の種類の流体を含有してもよく、またはバルク容器のうちのいくつかまたはすべては、同じ種類の流体を含有してもよい。バルク容器は、任意の適切な数の弁を介して、多投与注入システムに流体的に相互接続されてもよい。バルク容器は、任意の適切な数のシリンジに流体的に相互接続されてもよい。
本発明は、例えば、以下を提供する。
（項目１）
医療流体送達システムであって、
注入デバイスと、
第１の流体源と、
患者に挿入され、および流体的に相互接続されるように動作可能な流体出口ポートと、
真空源と
を備え、該注入デバイスは、選択的に該第１の流体源に流体的に相互接続可能であり、該注入デバイスは、選択的に該真空源に流体的に相互接続可能であり、該注入デバイスは、該流体出口ポートに流体的に相互接続される、システム。
（項目２）
医療流体送達システムであって、
注入デバイスと、
第１の流体源と、
真空源と、
該注入デバイス、該第１の流体源、および該真空源の各々と流体的に相互接続され、および患者と流体的に相互接続可能である管類セットと、
流体装填動作のために該第１の流体源を該注入デバイスに流体的に相互接続する前に、該管類セットを介して該真空源と該注入デバイスとを流体的に相互接続し、該真空源を操作するように構成される制御論理と
を備える、システム。
（項目３）
第１の弁をさらに備え、
該第１の弁の第１のポートは、上記注入デバイスの第１のシリンジに流体的に相互接続され、
該第１の弁の第２のポートは、上記真空源に流体的に相互接続され、
該第１の弁の第３のポートは、上記流体源に流体的に相互接続され、
該第１の弁の第１の位置において、該第１の弁の該第１のポートは、該第１の弁の該第２のポートに流体的に相互接続され、該第１の弁の該第３のポートは、該第１の弁の該第１のポートおよび該第１の弁の該第２のポートから流体的に隔離され、
該第１の弁の第２の位置において、該第１の弁の該第１のポートは、該第１の弁の該第３のポートに流体的に相互接続され、該第１の弁の該第２のポートは、該第１の弁の該第１のポートおよび該第１の弁の該第３のポートから流体的に隔離される、項目１および２のうちのいずれか一項に記載のシステム。
（項目４）
上記第１の弁の第３の位置において、該第１の弁の上記第１、第２、および第３のポートの各々は、該第１の弁の該第１、第２、および第３のポートの他の全てのポートから流体的に隔離される、項目３に記載のシステム。
（項目５）
第２の弁をさらに備え、
該第２の弁の第１のポートは、上記注入デバイスの第２のシリンジに流体的に相互接続され、
該第２の弁の第２のポートは、上記真空源に流体的に相互接続され、
該第２の弁の第３のポートは、第２の流体源に流体的に相互接続され、
該第２の弁の第１の位置において、該第２の弁の該第１のポートは、該第２の弁の該第２のポートに流体的に相互接続され、該第２の弁の該第３のポートは、該第２の弁の該第１のポートおよび該第２の弁の該第２のポートから流体的に隔離され、
該第２の弁の第２の位置において、該第２の弁の該第１のポートは、該第２の弁の該第３のポートに流体的に相互接続され、該第２の弁の該第２のポートは、該第２の弁の該第１のポートおよび該第２の弁の該第３のポートから流体的に隔離される、項目３および４のうちのいずれか一項に記載のシステム。
（項目６）
上記第２の弁の第３の位置において、該第２の弁の上記第１、第２、および第３のポートの各々は、該第２の弁の該第１、第２、および第３の他の全てのポートから流体的に隔離される、項目５に記載のシステム。
（項目７）
上記第２の流体源は、自身の中に生理食塩水を有する、項目５および６のうちのいずれか一項に記載のシステム。
（項目８）
上記第１の流体源と上記第１の弁との間の流体経路に沿った第１の場所に配置されるセンサをさらに備え、該センサは、該第１の場所における流体の不在および該第１の場所における流体の存在のうちの少なくとも１つを検出することができる、項目３〜７のうちのいずれか一項に記載のシステム。
（項目９）
制御論理をさらに備え、該制御論理は、
上記第１の流体源を上記第１のシリンジから隔離する一方で、上記真空源を該第１のシリンジに流体的に相互接続するように、上記第１の弁を作動することと、
該流体的に相互接続された第１のシリンジに真空を印加するように、該真空源を起動することと、
該真空源を起動した後に、該真空源を該第１のシリンジから隔離する一方で、該第１の流体源を該第１のシリンジに流体的に相互接続するように、該第１の弁を作動することと、
流体を、該第１の流体源から該第１のシリンジまで、上記流体出口ポートを経て患者の血管系に送達するように、医療流体送達プロトコルを実行することであって、該流体は、該患者の流体と混合する、ことと
を行うように構成される、項目３〜８のうちのいずれか一項に記載のシステム。
（項目１０）
制御論理をさらに備え、該制御論理は、
上記真空源を上記第１のシリンジに流体的に相互接続するように、上記第１の弁を作動することと、
該流体的に相互接続された第１のシリンジに真空を印加するように、該真空源を起動することと、
該真空源を起動した後に、該真空源を該第１のシリンジから隔離する一方で、上記第１の流体源を該第１のシリンジに流体的に相互接続するように、該第１の弁を作動することと、
該第１の流体源を該第１のシリンジに流体的に相互接続した後に、該第１の流体源から第１の容量の流体を該第１のシリンジに装填するように、上記注入デバイスのモータを駆動することと、
上記流体出口ポートを経て該第１の容量を注入するように、該注入デバイスの該モータを駆動することと、
該第１の容量を注入した後に、該第１の流体源から第２の容量の流体を該第１のシリンジに装填するように、該注入デバイスの該モータを駆動することと、
該流体出口ポートを経て該第２の容量を注入するように、該注入デバイスの該モータを駆動することと
を行うように構成される、項目３〜１０のうちのいずれか一項に記載のシステム。
（項目１１）
上記注入デバイスに流体的に相互接続される管類セットと、
該管類セットから上記流体源を隔離する一方で、該管類セットを上記真空源に流体的に相互接続するように動作可能な弁類と、
該管類セットから該真空源を隔離する一方で、該管類セットを上記第１の流体源に流体的に相互接続するように動作可能な弁類と
をさらに備える、項目１に記載のシステム。
（項目１２）
カニューレをさらに備え、上記流体出口ポートは、該カニューレの開放端である、項目１〜１１のいずれか一項に記載のシステム。
（項目１３）
上記カニューレは、上記患者の血管系内へ挿入されるように動作可能である、項目１２に記載のシステム。
（項目１４）
上記注入デバイスに流体的に相互接続される管類セットと、
該注入デバイスと上記流体出口ポートとの間で該管類セットに沿って配置される第１の一方向弁であって、該第１の一方向弁は、該注入デバイスから該流体出口ポートへの流体流動を可能にするように配置され、該第１の一方向弁は、該流体出口ポートから該注入デバイスへの流体流動を阻止するように配置される、第１の一方向弁と
をさらに備える、項目１〜１３のうちのいずれか一項に記載のシステム。
（項目１５）
上記第１の流体源は、自身の中に造影剤を有する、項目１〜１４のうちのいずれか一項に記載のシステム。
（項目１６）
医療流体送達システムのための操作方法であって、
ａ）真空源を管類セットおよび注入デバイスのシリンジに流体的に相互接続することであって、該管類セットは、該シリンジに流体的に相互接続される、ことと、
ｂ）ステップａの後に、該真空源を使用して、該管類セットおよびシリンジから空気を抜き出すことと、
ｃ）ステップｂの後に、該管類セットおよび該シリンジから該真空源を隔離することと、
ｄ）ステップｃの後に、第１の流体源を該管類セットおよび該シリンジに流体的に相互接続することと、
ｅ）ステップｄの後に、該第１の流体源から流体を該シリンジに装填することと
を含む、方法。
（項目１７）
医療流体送達システムのための操作方法であって、
ａ）真空源を管類セットおよび注入デバイスのシリンジに流体的に相互接続することであって、該管類セットは、流体出口ポートを備える、ことと、
ｂ）ステップａの後に、該真空源を使用して、該管類セットおよび該シリンジから空気を抜き出すことと、
ｃ）第１の流体源を該管類セットおよび該シリンジに流体的に相互接続することと、
ｄ）該第１の流体源から第１の容量の流体を該シリンジに装填することと、
ｅ）該流体出口ポートを経て該第１の容量を注入することと、
ｆ）第２の容量の流体を該第１の流体源から該シリンジに装填することと、
ｇ）該流体出口ポートを経て該第２の容量を注入することであって、該第２の容量の流体は、該第１の容量の流体とは異なる、ことと
を含む、方法。
（項目１８）
ステップｅの後に、流体を上記シリンジから患者に注入することをさらに備え、該シリンジからの該流体は、該患者の流体と混合する、項目１６に記載の方法。
（項目１９）
上記第１および第２の容量の流体は、上記患者の流体と混合する、項目１７に記載の方法。
（項目２０）
上記注入するステップは、
流体を上記第１の流体源から上記シリンジの中に装填するように、上記注入デバイスのプランジャを後退させることと、
該後退させるステップの後に、該第１の流体源を該シリンジから隔離するように弁を閉じることと、
流体を該シリンジからの上記患者の中に移動させるように該プランジャを延長させることと
を含む、項目１６および１８のうちのいずれか一項に記載の方法。
（項目２１）
上記空気を抜き出すことの間、上記第１の流体源は、上記真空源から流体的に隔離される、項目１６〜２０のうちのいずれか一項に記載の方法。
（項目２２）
ステップｃは、弁を作動させることを含む、項目１６〜２１のうちのいずれか一項に記載の方法。
（項目２３）
ｈ）上記第１の流体源から第１の流体源界面を経て流体を装填するように、上記注入デバイスのプランジャを後退させることであって、該後退させることの間、該注入デバイスおよび該流体源は、上記管類セットによって流体的に相互接続される、ことと、
ｉ）ステップｈの間、該管類セット内の第１の点において流体の欠如を自動的に検出することであって、該第１の点は、該注入デバイスと該第１の流体源との間にある、ことと、
ｊ）ステップｉに応答して、ステップｈの実施を中止することと、
ｋ）ステップｊの後に、流体を該管類セットから該第１の流体源界面まで移転させるように、該プランジャを前進させることと、
ｌ）ステップｊの後に、該第１の流体源を交換用の第１の流体源と交換することと
をさらに含む、項目１６〜２２のうちのいずれか一項に記載の方法。
（項目２４）
ステップｌは、ステップｋの前に実施される、項目２３に記載の方法。
（項目２５）
上記前進させるステップおよび後退させるステップの後に、流体を上記第１の流体源から患者に注入することをさらに含み、該注入された流体は、該患者の流体と混合する、項目２３および２４のうちのいずれか一項に記載の方法。
（項目２６）
上記第１の流体源は、自身の中に造影剤を有する、項目１６〜２５のうちのいずれか一項に記載の方法。